(57)【特許請求の範囲】
【請求項１】
ウエブを送る多孔コンベヤと、
前記多孔コンベヤの上面を包囲するハウジングと、
前記ハウジング内に設けられ、前記多孔コンベヤの幅方向にのびる隔壁と、
前記ハウジング内において、前記隔壁の上流側および下流側に形成され、前記隔壁の上方で連通する上流室および下流室と、
前記多孔コンベヤの下方に設けられ、前記上流室に向かって開口し、エアを前記多孔コンベヤを透過させ、前記上流室に噴出させ、前記ウエブを前記上流室で吹き上げ、前記隔壁を越え、前記下流室に吹き飛ばし、前記下流室で攪拌するエアノズルと、
前記下流室の適所に設けられ、前記下流室内において、液状物を前記ウエブに噴霧するスプレヘッドとからなるウエブ処理装置。
【請求項２】
サクションヘッドを前記多孔コンベヤの下方に設け、前記下流室に向かって開口させ、前記下流室内において、そのエアを前記多孔コンベヤを通過させ、前記サクションヘッドに吸入し、前記ウエブを前記多孔コンベヤに吸着し、積層させ、その状態で送るようにしたことを特徴とする請求項１に記載の装置。
【請求項３】
前記ハウジングの下流位置において、一対の多孔コンベヤを上下方向に対向させ、前記ウエブを前記各多孔コンベヤ間に挟み、その状態で送るとともに、前記多孔コンベヤの上方および下方のうち、一方から加熱エアを噴出させ、これを前記多孔コンベヤおよびウエブを通過させ、その下流位置において、前記多孔コンベヤの上方および下方のうち、他方から加熱エアを噴出させ、これを前記多孔コンベヤおよびウエブを通過させ、これによって前記ウエブを乾燥、熱処理または硬化させるようにしたことを特徴とする請求項１または２に記載の装置。
【発明の詳細な説明】
【０００１】
【産業上の利用分野】
この発明は、液状物をウエブに噴霧し、これによってウエブを処理するウエブ処理装置に関するものである。
【０００２】
ここで、ウエブとは天然繊維または合成繊維の短繊維集合体のことである。液状物とは油、液状接着剤、液状樹脂または水分のことであり、それ以外の液状物であってもよい。
【０００３】
【従来技術とその問題点】
たとえば、ウールのウエブのリサイクルにあたって、それを再使用するには、油をウエブに噴霧し、含浸させ、これによってウエブを処理する必要がある。しかも、大量のウエブ全体において、油を均一に噴霧せねばならず、その作業は容易ではなく、時間および労力が要求されるという問題があった。
【０００４】
この他、ウールのウエブをプランタやモップに利用するには、液状接着剤や液状樹脂をウエブに噴霧し、含浸させる必要があるが、その作業は容易ではなく、時間および労力が要求されることは同様である。ウールのウエブをマットに利用するには、界面活性剤をウエブに噴霧し、含浸させる必要があるが、その作業は容易ではなく、時間および労力が要求されることも同様である。
【０００５】
他の天然繊維または合成繊維のウエブにおいて、液状物をそれに噴霧し、含浸させることも同様である。
【０００６】
【発明の目的】
したがって、この発明は、液状物をウエブに噴霧するとき、それを自動的に、効果的に、そして均一に噴霧することを目的としてなされたものである。
【０００７】
【発明の構成】
この発明によれば、多孔コンベヤによってウエブが送られる。さらに、ハウジングによって多孔コンベヤの上面が包囲され、隔壁がハウジング内に設けられる。隔壁は多孔コンベヤの幅方向にのびる。そして、ハウジング内において、上流室および下流室が隔壁の上流側および下流側に形成され、隔壁の上方で連通する。さらに、エアノズルが多孔コンベヤの下方に設けられ、上流室に向かって開口し、エアが多孔コンベヤを通過し、上流室に噴出し、ウエブが上流室で吹き上げられ、隔壁を越え、下流室に吹き飛ばされ、下流室で攪拌される。さらに、スプレヘッドが下流室の適所に設けられ、下流室内において、液状物がウエブに噴霧される。
【０００８】
好ましい実施例では、サクションヘッドが多孔コンベヤの下方に設けられ、下流室に向かって開口し、下流室内において、そのエアが多孔コンベヤを通過し、サクションヘッドに吸入され、ウエブが多孔コンベヤに吸着され、積層され、その状態で送られる。
【０００９】
さらに、ハウジングの下流位置において、一対の多孔コンベヤが上下方向に対向し、ウエブが各多孔コンベヤ間に挟まれ、その状態で送られる。さらに、多孔コンベヤの上方および下方のうち、一方から加熱エアが噴出し、これが多孔コンベヤおよびウエブを通過し、その下流位置において、多孔コンベヤの上方および下方のうち、他方から加熱エアが噴出し、これが多孔コンベヤおよびウエブを通過し、これによってウエブが乾燥、熱処理または硬化される。
【００１０】
【実施例の説明】
以下、この発明の実施例を説明する。
【００１１】
図１において、これはこの発明にかかるウエブ処理装置であり、多孔コンベヤ１を有する。多孔コンベヤ１はメッシュコンベヤからなり、リサイクルするウールのウエブ２を送るためのもので、駆動ロール３およびガイドロール４間に設けられ、図２に示すように、駆動ロール３は駆動モータ５に連結されている。したがって、駆動モータ５によって駆動ロール３を回転させ、多孔コンベヤ１を駆動し、ウエブ２を矢印Ｘの方向に送ることができる。さらに、ブラシローラ６が駆動モータ７に連結されており、駆動モータ７によってブラシローラ６を回転させ、これを多孔コンベヤ１に押し付け、ブラシローラ６によって多孔コンベヤ１を清掃することもできる。
【００１２】
さらに、ハウジング８によって多孔コンベヤ１の上面が包囲され、隔壁９がハウジング８内に設けられている。ハウジング８は矩形状のもので、頂壁、両端壁および両側壁を有し、その幅は多孔コンベヤ１の幅に対応し、隔壁９は多孔コンベヤ１の幅方向にのび、ハウジング８の両側壁に連続する。したがって、ハウジング８内において、上流室１０および下流室１１が隔壁９の上流側および下流側に形成され、隔壁９の上方で連通する。
【００１３】
さらに、入口１２および出口１３がハウジング８の両端壁に形成されており、多孔コンベヤ１の上面において、ウエブ２をハウジング８の入口１２に通し、上流室１０に供給することができ、ハウジング８の出口１３に通し、下流室１１から排出することができる。さらに、一対のガイド板１４が入口１２の上流側に設けられ、多孔コンベヤ１の両側縁に沿って配置されており、ウエブ２をハウジング８の上流室１０に導入するとき、ガイド板１４によってそれを案内することができ、同様のガイド板１４が出口１３の下流側に設けられ、多孔コンベヤ１の両側縁に沿って配置されており、ウエブ２をハウジング８の下流室１１から排出するとき、ガイド板１４によってそれを案内することもできる。この他、スライド板１５がハウジング８の両端壁に設けられており、スライド板１５によって入口１２および出口１３の開度を調節することもできる。ハウジング８の両側壁については、透明樹脂板１６がそれに設けられており、透明樹脂板１６からハウジング８内を監視することもできる。
【００１４】
さらに、エアノズル１７が多孔コンベヤ１の下方に設けられ、上流室１０に向かって開口しており、ブロワ１８がそのエアノズル１７に接続されている。したがって、エアがブロワ１８から供給され、エアノズル１７に導かれ、多孔コンベヤ１を通過し、上流室１０に噴出する。さらに、この実施例では、エアノズル１７の他に、隔壁９付近において、エアノズル１９が多孔コンベヤ１の下方に設けられ、下流室１１に向かって開口し、ブロワ１８がそのエアノズル１９に接続されており、エアがブロワ１８から供給され、エアノズル１９に導かれ、多孔コンベア１を通過し、下流室１１に噴出する。
【００１５】
さらに、スプレヘッド２０が下流室１１の適所に設けられている。この実施例では、ハウジング８の頂壁と一方の端壁間において、スプレヘッド２０が下流室１１内に配置され、ハウジング８の傾斜壁に取り付けられている。この他、多孔コンベヤ１の上面付近において、スプレヘッド２０が下流室１６内に配置され、ハウジング８の隔壁９に取り付けられている。さらに、各スプレヘッド２０において、それぞれ油導管およびエア導管が接続されており、油およびエアが供給され、混合され、これによって油が噴霧される。
【００１６】
さらに、この実施例では、サクションヘッド２１が多孔コンベヤ１の下方に設けられ、下流室１１に向かって開口しており、真空源２２がそのサクションヘッド２１に接続されている。したがって、下流室１１内において、そのエアが多孔コンベヤ１を通過し、サクションヘッド２１に吸入される。
【００１７】
したがって、この装置において、多孔コンベヤ１によってウエブ２を送り、これを連続的に進行させると、そのウエブ２がハウジング８の入口１２を通り、上流室１０に供給される。これと同時に、エアがエアノズル１７に導かれ、多孔コンベヤ１を通過し、上流室１０に噴出する。したがって、ウエブ２が上流室１０内で吹き上げられる。
【００１８】
さらに、エアが隔壁９を越え、下流室１１に流入し、下流室１１で旋回する。したがって、ウエブ２が隔壁９を越え、下流室１１に吹き飛ばされ、下流室１１で攪拌される。この実施例では、圧縮エアがエアノズル１９に導かれ、多孔コンベヤ１を通過し、下流室１１に噴出し、下流室１１内において、エアを効果的に旋回させ、ウエブ２を効果的に攪拌することができる。そして、これと同時に、下流室１１内において、油がスプレヘッド２０に供給され、ウエブ２に噴霧され、含浸する。
【００１９】
さらに、下流室１１内において、そのエアが多孔コンベヤ１を通過し、サクションヘッド２１に吸入される。したがって、油の噴霧後、ウエブ２は多孔コンベヤ１に吸着され、積層し、その状態で送られる。さらに、それがハウジング８の出口１３を通り、下流室１１から排出される。この実施例では、サクションヘッド２１はハウジング８の下流位置までのび、ウエブ２は積層した状態に保たれ、ハウジング８の下流位置に送られる。
【００２０】
この工程が順次交互に繰り返されるものである。したがって、ウールのウエブ２のリサイクルにあたって、油をウエブ２に噴霧し、含浸させるとき、それを自動的に噴霧し、含浸させることができる。しかも、この装置の場合、ウエブ２が下流室１１で攪拌され、その状態で油が噴霧され、含浸する。この結果、大量のウエブ２全体において、油を効果的に、そして均一に噴霧し、含浸させることができる。
【００２１】
油に限らず、液状接着剤や液状樹脂をスプレヘッド２０に供給し、ウエブ２に噴霧し、含浸させることもできる。界面活性剤をスプレヘッド２０に供給し、ウエブ２に噴霧し、含浸させることもできる。それ以外の液状物をスプレヘッド２０に供給し、ウエブ２に噴霧し、含浸させることもできる。ウールのウエブ２に限らず、他の天然繊維または合成繊維のウエブにおいて、液状物をそれに噴霧し、含浸させることもできる。
【００２２】
さらに、この実施例では、ハウジング８の下流位置において、図３に示すように、一対の多孔コンベヤ２３，２４が上下方向に対向する。多孔コンベヤ２３，２４はメッシュコンベヤからなり、駆動ロール２５およびガイドロール２６間に設けられ、駆動ロール２５は駆動モータに連結されている。したがって、駆動モータによって駆動ロール２５を回転させ、多孔コンベヤ２３，２４を駆動することができ、油の噴霧後、ウエブ２を各多孔コンベヤ２３，２４間に挟み、その状態で送ることができる。さらに、多孔コンベヤ２３，２４の上方および下方のうち、一方から加熱エアを噴出させ、これを多孔コンベヤ２３，２４およびウエブ２を通過させ、その下流位置において、多孔コンベヤ２３，２４の上方および下方のうち、他方から加熱エアを噴出させ、これを多孔コンベヤ２３，２４およびウエブ２を通過させ、これによってウエブ２を乾燥、熱処理または硬化させることができる。
【００２３】
たとえば、エアノズル２７が多孔コンベヤ２３，２４の上方に設けられ、加熱エア源がそのエアノズル２７に接続され、サクションヘッド２８が多孔コンベヤ２３，２４の下方に設けられている。したがって、加熱エアをエアノズル２７に供給し、多孔コンベヤ２３，２４の上方から加熱エアを噴出させ、その加熱エアを多孔コンベヤ２３，２４およびウエブ２を通過させ、サクションヘッド２８に吸入することができる。さらに、その下流位置において、エアノズル２７が多孔コンベヤ２３，２４の下方に設けられ、加熱エア源がそのエアノズル２７に接続され、サクションヘッド２８が多孔コンベヤ２３，２４の上方に設けられている。したがって、加熱エアをエアノズル２７に供給し、多孔コンベヤ２３，２４の下方から加熱エアを噴出させ、その加熱エアを多孔コンベヤ２３，２４およびウエブ２を通過させ、サクションヘッド２８に吸入することができる。これによってウエブ２を乾燥、熱処理または硬化させることができるものである。したがって、ウエブ２をその上面から乾燥、熱処理または硬化させることができ、下面から乾燥、熱処理または硬化させることもでき、これを均一に乾燥、熱処理または硬化させることができる。
【００２４】
図１および図３の多孔コンベヤ１，２４として共通の多孔コンベヤを使用してもよい。さらに、エアノズル２８の下流位置において、エアノズル２９を多孔コンベヤ２４の下方に設け、ウエブ２の乾燥、熱処理または硬化後、常温エアをエアノズル２９から噴出させ、多孔コンベヤ２４およびウエブ２を通過させ、これによってウエブ２を冷却することもできる。
【００２５】
したがって、図１および図３の装置の場合、各種ウエブの嵩高性の積層材を適宜製造することができる。さらに、図３の多孔コンベヤ２３については、図４に示すように、多孔コンベヤ２３、エアノズル２７およびサクションヘッド２８が内枠３０に取り付けられ、ウオームジャッキ３１が外枠３２に設けられ、内枠３０はウオームジャッキ３１に吊られ、支持されている。したがって、ハンドル３３によってウオームジャッキ３１を操作し、内枠３０を上昇または下降させることができ、積層材の厚さによって多孔コンベヤ２３，２４の間隔を調節することもできる。
【００２６】
【発明の効果】
以上説明したように、この発明によれば、液状物をウエブ２に噴霧するとき、それを自動的に効果的に、そして均一に噴霧することができ、所期の目的を達成することができるものである。
【図面の簡単な説明】
【図１】この発明の実施例を示す側面図である。
【図２】図１の多孔コンベヤの駆動モータを示す正面図である。
【図３】図１のウエブを乾燥、熱処理または硬化させる装置の側面図である。
【図４】図３の多孔コンベヤの間隔を調節する機構の説明図である。
【符号の説明】
１  多孔コンベヤ
２  ウエブ
８  ハウジング
９  隔壁
１０  上流室
１１  下流室
１７  エアノズル
２０  スプレヘッド
２１  サクションヘッド
２３，２４  多孔コンベヤ
２７  エアノズル
２８  サクションヘッド
【図１】
0004390236.tif 000002
【図２】
0004390236.tif 000003
【図３】
0004390236.tif 000004
【図４】
0004390236.tif 000005